(57)【要約】【課題】携帯電話機を用いてインターネットに接続する場合やメールの送受信を行う場合に、利用者の視認性の向上と操作性の向上を図る。【解決手段】充電台１に、携帯電話機２の表示部２３より表示面積が大きくしたがって大きな文字等の画像情報が表示可能な表示部１６と、携帯電話機２の操作部２４の各キーより大きなサイズの各キーを持つ操作部１７と、携帯電話機２との通信が可能な電話機Ｉ／Ｆ部１４とを設け、充電台１よる携帯電話機２の充電中に、利用者による充電台１の操作部１７の所定キーが操作されると、充電台１はこの操作情報を携帯電話機２へ送信し携帯電話機２にこの操作情報に基づくインターネットへの接続やメール通信を実行させるとともに、その実行結果の情報を携帯電話機２から取得して表示部１６に表示する。この結果、インターネットへの接続やメール通信の際に利用者の視認性及び操作性が向上する。【選択図】  図３
2006108782.tif 000002
【特許請求の範囲】
【請求項１】
インターネットへの接続機能及びメールの送受信機能を含む非音声通信機能を有するとともに、表示手段及び操作手段を有する携帯電話機の充電を行う充電台であって、
前記充電台は、
前記携帯電話機との通信を行う電話機Ｉ／Ｆ部と、
前記携帯電話機の表示手段より表示面積が大きい表示部と、
前記携帯電話機の操作手段を構成する各キーのサイズより大きいサイズの各キーからなる操作部と、
前記携帯電話機の充電中に前記操作部が操作されるとこの操作情報を前記電話機Ｉ／Ｆ部を介して前記携帯電話機に送信し非音声通信を実行させるとともに、前記携帯電話機から返送される前記携帯電話機の前記非音声通信の実行結果の情報を前記電話機Ｉ／Ｆ部を介して受信すると、この受信情報を前記表示部に表示する制御部と
を備えたことを特徴とする充電台。
【請求項２】
請求項１において、
前記充電台の制御部は前記操作部の操作に基づく操作情報を前記携帯電話機の操作手段の操作による操作情報と同等の操作情報として前記携帯電話機に送信することを特徴とする充電台。
【発明の詳細な説明】
【技術分野】
【０００１】
本発明は、非音声通信モード機能を有する携帯電話機に対して充電を行う充電台に関する。
【背景技術】
【０００２】
充電台により充電が行われるこの種の非音声通信モード機能を有する携帯電話機として、特開２００１−２４３１４６号公報に開示されている携帯電話機がある。
【０００３】
この携帯電話機は、インターネットの動作モードを起動してインターネットに接続する際に、前回まで発信接続されたインターネットの接続先を示すＵＲＬを複数表示し、この発信履歴のある複数のＵＲＬのうち何れかのＵＲＬを選択することにより、発信履歴のあるインターネットのホームページに接続可能にしたものである（特許文献１参照）。
【０００４】
【特許文献１】特開２００１−２４３１４６号公報
【発明の開示】
【発明が解決しようとする課題】
【０００５】
このように従来の携帯電話機は、インターネットへの接続を可能にしている。また、従来の携帯電話機は、相手端末とメールの送受信も可能になっている。しかしながら、こうした携帯電話機においては、インターネットへの接続時やメールの送受信時には画面に表示される文字等の画像が小さいことから視認性が悪く、また、操作するキーも小さいことから、操作性が悪いという問題があった。
【０００６】
したがって、本発明は、携帯電話機を用いてインターネットに接続する場合やメールの送受信を行う場合に、利用者の視認性の向上と操作性の向上を図ることを目的とする。
【課題を解決するための手段】
【０００７】
このような課題を解決するために本発明は、インターネットへの接続機能及びメールの送受信機能を含む非音声通信機能を有するとともに、表示手段及び操作手段を有する携帯電話機の充電を行う充電台であって、前記充電台は、携帯電話機との通信を行う電話機Ｉ／Ｆ部と、携帯電話機の表示手段より表示面積が大きい表示部と、携帯電話機の操作手段を構成する各キーのサイズより大きいサイズの各キーからなる操作部と、携帯電話機の充電中に操作部が操作されるとこの操作情報を電話機Ｉ／Ｆ部を介して携帯電話機に送信し非音声通信を実行させるとともに、携帯電話機から返送されるこの非音声通信の実行結果の情報を電話機Ｉ／Ｆ部を介して受信すると、この受信情報を表示部に表示する制御部とを備える。
また、制御部は操作部の操作に基づく操作情報を携帯電話機の操作手段の操作による操作情報と同等の操作情報として送信する。
【発明の効果】
【０００８】
本発明によれば、充電台による携帯電話機の充電中には、携帯電話機の表示部より表示面積の大きい表示部を有し、かつ、携帯電話機の操作部の各キーより大きなサイズの各キーを持つ充電台の操作部の操作によりインターネットへの接続が可能になり、かつ、インターネットから取得した情報が充電台の表示部に表示可能になるとともに、前記充電台の操作部の操作によりメールの送受信が可能になり、さらに送信メールや受信メールが充電台の表示部に表示可能になる。この結果、インターネットへの接続時やメールの送受信時に大きな文字等の画像情報が表示でき、利用者の視認性及び操作性を向上させることができる。したがって、年配者でも確実にインターネットに接続してインターネットから所望の情報を取得することができるとともに、確実に相手とメール通信を行うことができる。
【０００９】
また、充電台の操作部が操作された場合、この操作情報は携帯電話機の操作手段の操作による操作情報と同等の操作情報として携帯電話機側へ送信される。その結果、携帯電話機側ではあたかも自身の操作手段が操作された場合と同等の処理を行うことができ、充電台から携帯電話機を介してインターネットの接続やメール通信を行う際に、携帯電話機のソフトウェアの改造を最小限に抑えることができる。
【発明を実施するための最良の形態】
【００１０】
図１は、本発明に係る充電台の構成を示すブロック図である。この充電台１は、図１に示すように、ＡＣ１００Ｖ電源を入力して充電台１の各部に電源電圧Ｖを供給する電源部１１と、電源部１１からの電源を携帯電話機２に給電して充電させる給電部１２と、制御部１３と、携帯電話機２とデータ伝送を行うための電話機Ｉ／Ｆ部１４と、記憶部１５と、ＬＣＤからなる表示部１６と、テンキー１７Ａ，通話開始キー１７Ｂ，電源／終了／保留キー１７Ｃ，ナビゲーションキー１７Ｄ及び機能キー１７Ｅからなる操作部１７とを備えている。
【００１１】
また、この充電台１により充電される携帯電話機２は、図２に示すように、制御部２１と、メモリ２２と、表示部２３と、テンキー２４Ａ，通話開始キー２４Ｂ，電源／終了／保留キー２４Ｃ，ナビゲーションキー２４Ｄ及び機能キー２４Ｅからなる操作部２４と、無線部２５と、アンテナ２６と、通話部２７と、マイク２８と、スピーカ２９と、充電台１とデータ伝送を行うための通信Ｉ／Ｆ部３０と、携帯電話機２の各部に電源電圧Ｖ’を供給する電池３１と、充電台１から給電電流を電池３１に供給して充電する充電Ｉ／Ｆ部３２とからなる。
【００１２】
このような携帯電話機２は、通話を行うことができることは勿論、インターネットのホームページに接続して、そのホームページを介して所望のサイトの情報が取得可能になっている。すなわち、利用者がこの携帯電話機２をインターネットに接続するために、操作部２４内のナビゲーションキー２４Ｄによるインターネット接続操作を行うと、制御部２１はこれを検出して無線部２５及びアンテナ２６を介し、インターネットのホームページに接続するとともに、そのホームページの情報をアンテナ２６及び無線部２５を介してダウンロードし表示部２３に表示する。ここで、利用者が表示部２３に表示されたホームページの情報の中から所望のサイトの情報を得るためにナビゲーションキー２４Ｄによる選択操作を行うと、制御部２１はこれを検出してその選択操作に応じたサイトの情報をインターネットからアンテナ２６及び無線部２５を介してダウンロードし表示部２３に表示するようにしている。
【００１３】
また、この携帯電話機２は、相手端末とメールの送受信も可能になっている。すなわち、利用者がこの携帯電話機２を用いて送信メールを作成するために、操作部２４内のナビゲーションキー２４Ｄを操作すると、制御部２１はこれを検出してメールの作成モードに移行し、表示部２３にメールの作成画面を表示する。ここで、メールの作成画面には、メールの宛先、メールの題名、及びメール文の各領域が設けられている。そして、利用者がテンキー２４Ａ及び機能キー２４Ｅを操作することにより、メールの宛先入力、メールの題名入力、及びメール文の入力を行うと、制御部２１はこれを検出して、表示部２３のメール作成画面中の各領域に、それぞれ、入力したメールの宛先、メールの題名、及びメール文を表示する。利用者がメール作成画面の各領域に表示されているメールの宛先、メールの題名、及びメール文に間違いがないことを確認して、ナビゲーションキー２４Ｄによるメール送信の選択操作を行うと、制御部２１はこれを検出して、無線部２５及びアンテナ２６を介し、作成したメールの題名及びメール文を、その宛先に送信する。
【００１４】
なお、アンテナ２６及び無線部２５を介して相手端末からの送信メールが到着すると、制御部２１はこれを受信してメモリ２２に記憶するとともに、表示部２３に「新着メールあり」を表示する。この場合、利用者が所定の機能キー２４Ｅを操作すると、制御部２１はこれを検出して、メモリ２２の中からその新着メールを取り出し、表示部２３に表示する。
【００１５】
図３は、充電台１による携帯電話機２の充電の状況を示す図である。充電台１には、図３に示すように、携帯電話機２の表示部２３より表示面積が大の表示部１６が設けられている。また、充電台１には、携帯電話機２の操作部２４と同様構成の操作部１７が設けられ、操作部１７の各キーの大きさは図３に示すように携帯電話機２の操作部２４の各キーの大きさより大きく構成されている。ここで、携帯電話機２が充電台１に載置されると、充電台１の給電部１２と携帯電話機２の充電Ｉ／Ｆ部３２とが接続されることにより、充電台１から携帯電話機２への充電が開始される。この場合、充電台１の電話機Ｉ／Ｆ部１４と携帯電話機２の通信Ｉ／Ｆ部３０とが同様に接続されることにより、充電台１の制御部１３と携帯電話機２の制御部２１間は、電話機Ｉ／Ｆ部１４及び通信Ｉ／Ｆ部３０を介してデータ伝送が可能な状態となる。
【００１６】
充電台１により携帯電話機２が充電中に、利用者が充電台１の操作部１７内のナビゲーションキー１７Ｄによるインターネット接続操作を行うと、制御部１３はこれを検出して携帯電話機２のナビゲーションキー２４Ｄと同一のキーデータコードによる操作情報として電話機Ｉ／Ｆ部１４を介し携帯電話機２側へ送信する。携帯電話機２の制御部２１は通信Ｉ／Ｆ部３０を介してその操作情報を受信すると、自身のナビゲーションキー２４Ｄが操作された場合と同様の処理動作を行う。すなわち、制御部２１はこの操作情報を受信すると無線部２５及びアンテナ２６を介し、インターネットのホームページに接続するとともに、そのホームページの情報をアンテナ２６及び無線部２５を介してダウンロードし表示部２３に表示する。また、制御部２１は、この場合、ダウンロードした情報を通信Ｉ／Ｆ部３０を介して充電台１側へ送信する。充電台１の制御部１３は携帯電話機２側から送信される前記ダウンロード情報を電話機Ｉ／Ｆ部１４を介して受信すると、表示部１６に表示する。
【００１７】
そして、利用者が充電台１の表示部１６に表示されたホームページの情報の中から所望のサイトの情報を得るためにナビゲーションキー１７Ｄによる選択操作を行うと、制御部１３はこれを検出して、携帯電話機２のナビゲーションキー２４Ｄと同一のキーデータコードによる選択操作情報として携帯電話機２側へ送信する。携帯電話機２の制御部２１はその選択操作情報を受信すると、自身のナビゲーションキー２４Ｄによる選択操作が行われた場合と同様に、その選択操作情報に応じたサイトの情報をインターネットからアンテナ２６及び無線部２５を介してダウンロードし表示部２３に表示するとともに、通信Ｉ／Ｆ部３０を介して充電台１側へ送信する。充電台１の制御部１３は携帯電話機２側から送信されるそのサイト情報を電話機Ｉ／Ｆ部１４を介して受信すると、表示部１６に表示する。
【００１８】
また、携帯電話機２が充電台１により充電中に、利用者が送信メールを作成するために、充電台１の操作部１７内のナビゲーションキー２４Ｄを操作すると、制御部１３はこれを検出して携帯電話機２のナビゲーションキー２４Ｄと同一のキーデータコードによる操作情報として携帯電話機２側へ送信する。携帯電話機２の制御部２１はその操作情報を受信すると、自身のナビゲーションキー２４Ｄが操作されたときと同様の処理動作を行う。すなわち、制御部２１はこの操作情報を受信すると、メールの作成モードに移行し、表示部２３にメールの作成画面を表示する。また、制御部２１はこのメール作成画面情報を充電台１側へ送信する。充電台１の制御部１３はこのメール作成画面情報を受信すると、表示部１６にメール作成画面として表示する。ここで、メールの作成画面には、メールの宛先、メールの題名、及びメール文の各領域が設けられている。
【００１９】
そして、利用者が充電台１の操作部１７内のテンキー１７Ａ及び機能キー１７Ｅを操作することにより、メールの宛先入力、メールの題名入力、及びメール文の入力を行うと、制御部１３はこれを検出して、これらの操作情報を、携帯電話機２のテンキー２４Ａ及び機能キー２４Ｅと同一のキーデータコードによる操作情報として逐一携帯電話機２側に送信する。携帯電話機２の制御部２１は、これらの操作情報を受信すると、あたかも自身のテンキー２４Ａ及び機能キー２４Ｅが操作された場合と同様の処理動作を行い、表示部２３のメール作成画面中の各領域に、それぞれ、メールの宛先、メールの題名、及びメール文を表す文字情報等を逐一表示する。また、このとき、携帯電話機２の制御部２１はこのメールの宛先、メールの題名、及びメール文を表す文字情報等を逐一充電台１側へ送信して充電台１の制御部１３に受信させ、制御部１３により表示部１６のメール作成画面の各領域に順次表示させる。
【００２０】
ここで、利用者が充電台１の表示部１６のメール作成画面中の各領域に表示されているメールの宛先、メールの題名、及びメール文に間違いがないことを確認して、ナビゲーションキー１７Ｄによるメール送信の選択操作を行うと、制御部１３はこれを検出して、携帯電話機２のナビゲーションキー２４Ｄと同一のキーデータコードによる操作情報として携帯電話機２側へ送信する。携帯電話機２の制御部２１はその操作情報を受信すると、あたかも自身のナビゲーションキー２４Ｄが操作されたと同様の処理動作を行い、既に作成しメモリ２２に格納しているメールの題名、メール文及び宛先の各情報をメモリ２２から読み出し、読み出したメールの題名及びメール文を、無線部２５及びアンテナ２６を介してその宛先に送信する。
【００２１】
なお、アンテナ２６及び無線部２５を介して相手端末からの送信メールが携帯電話機２に到着すると、携帯電話機２の制御部２１はこれを受信してメモリ２２に記憶するとともに、表示部２３に「新着メールあり」を表示する。また、このとき、携帯電話機２の制御部２１は、この新着メール情報を充電台１側へ送信する。充電台１の制御部１３はこの新着メール情報を受信すると、記憶部１５に記憶するとともに、表示部１６に「新着メールあり」を表示する。この場合、利用者が充電台１の操作部１７内の所定の機能キー１７Ｅを操作すると、制御部１３はこれを検出して、記憶部１５の中からその新着メールを取り出し、表示部１６に表示する。また、このとき、制御部１３はその機能キー１７Ｅの操作情報を、携帯電話機２の機能キー２４Ｅと同一のキーデータコードの操作情報として携帯電話機２側へ送信する。携帯電話機２の制御部２１は充電台１側から送信されるその操作情報を受信すると、自身のメモリ２２から該当の新着メールを取り出し表示部２３に表示する。
【００２２】
このように、充電台１による携帯電話機２の充電中には、充電台１の操作部１７の操作によりインターネットへの接続を可能にし、インターネットから取得した情報を充電台１の表示部１６に表示可能にしたものである。また、充電台１の操作部１７の操作によりメールの送受信を可能にするとともに、送信メールや受信メールを充電台１の表示部１６に表示可能にしたものである。この結果、携帯電話機２の表示部２３より表示面積が大きくしたがって大きな文字等の画像情報が表示可能な表示部１６を有するとともに、携帯電話機２の操作部２４の各キーより大きなサイズの各キーを持つ充電台１によりインターネットの接続やメールの送受信が可能になることから、インターネットへの接続時やメールの送受信時に利用者の視認性及び操作性を向上させることができる。これにより、年配者であっても確実にインターネットに接続してインターネットから所望の情報を取得することができるとともに、確実に相手とメール通信を行うことができる。
【００２３】
また、充電台１の操作部１７が操作された場合、この操作情報を携帯電話機２の操作部２４の操作による操作情報と同等の操作情報として携帯電話機２に送信するようにしたので、携帯電話機２ではあたかも自身の操作部２４が操作された場合と同等の処理を行うことができる。これにより、充電台１から携帯電話機２を介してインターネットの接続やメールの送受信を行う際に、携帯電話機２のソフトウェアの改造を最小限に抑えることができる。
【図面の簡単な説明】
【００２４】
【図１】本発明に係る充電台の構成を示すブロック図である。
【図２】充電台により充電される携帯電話機の構成を示すブロック図である。
【図３】携帯電話機が充電台により充電されている状況を示す図である。
【符号の説明】
【００２５】
１…充電台、２…携帯電話機、１１…電源部、１２…給電部、１３，２１…制御部、１４…電話機Ｉ／Ｆ部、１５…記憶部、１６，２３…表示部、１７，２４…操作部、１７Ａ，２４Ａ…テンキー、１７Ｂ，２４Ｂ…通話開始キー、１７Ｃ，２４Ｃ…電源／終了／保留キー、１７Ｄ，２４Ｄ…ナビゲーションキー、１７Ｅ，２４Ｅ…機能キー、１７Ｂ…ダイヤルキー、２２…メモリ、２５…無線部、２６…アンテナ、２７…通話部、３０…通信Ｉ／Ｆ部、３１…電池、３２…充電Ｉ／Ｆ部。
【図１】
2006108782.tif 000003
【図２】
2006108782.tif 000004
【図３】
2006108782.tif 000005